(57)【要約】  電子装置のユーザの顔メトリックをキャプチャする際に前記電子装置と共に使用するための機器であって、前記電子装置は、前記ユーザに面している前面カメラと、前記ユーザの反対側を向く背面カメラと、を有する。前記機器は、前記電子装置に結合されるよう構造化されたフレームと、前記フレームに据え付けられた多数の反射面と、を有する。前記多数の反射面は、前記前面カメラが前記ユーザの第１画像をキャプチャし、前記背面カメラが前記ユーザの第２画像を前記第１画像と同時にキャプチャするように位置付けられ構造化される。
2021507278.tif 000002
【特許請求の範囲】
【請求項１】
電子装置のユーザの顔メトリックをキャプチャする際に該電子装置と共に使用するための機器であって、前記電子装置は、前記ユーザに面している前面カメラと、前記ユーザの反対側を向く背面カメラと、を有し、前記機器は、
前記電子装置に結合されるよう構造化されたフレームと、
前記フレームに据え付けられた多数の反射面であって、前記多数の反射面は、前記前面カメラが前記ユーザの第１画像をキャプチャし、及び前記背面カメラが前記ユーザの第２画像を前記第１画像と同時にキャプチャするように位置付けられ構造化される、多数の反射面と、
を含む機器。
【請求項２】
前記多数の反射面は、前記フレームに据え付けられた多数のミラーを有する、請求項１に記載の機器。
【請求項３】
前記フレームは、前記電子装置に前記フレームを選択的に結合するよう構造化された固定機構を有する、請求項１に記載の機器。
【請求項４】
前記フレームは、前記電子装置の大部分を大体取り囲むよう構造化される、請求項１に記載の機器。
【請求項５】
前記多数の反射面は、
前記フレームに据え付けられる第１反射面であって、前記第１反射面は、前記機器が前記電子装置上に位置付けられるとき、前記背面カメラに対して第１角に配置されるよう構造化される、第１反射面と、
前記第１角に対して垂直に第２角で、前記フレームに据え付けられる第２反射面と、
を含む、請求項１に記載の機器。
【請求項６】
前記第１反射面は、前記フレームに据え付けられた第１ミラーの一部であり、前記第２反射面は、前記フレームに据え付けられた第２ミラーの一部である、請求項５に記載の機器。
【請求項７】
ユーザの顔メトリックをキャプチャするシステムであって、
前記ユーザに面している前面カメラと、前記ユーザの反対側を向く背面カメラと、を有する電子装置と、
機器であって、
前記電子装置に結合されるフレームと、
前記フレームに据え付けられた多数の反射面であって、前記多数の反射面は、前記前面カメラが前記ユーザの第１画像をキャプチャし、及び前記背面カメラが前記ユーザの第２画像を前記第１画像と同時にキャプチャするように位置付けられ構造化される、多数の反射面と、を含む機器と、
を含むシステム。
【請求項８】
前記電子装置は、スマートフォン又はタブレットを含む、請求項７に記載のシステム。
【請求項９】
前記多数の反射面は、前記フレームに据え付けられた多数のミラーを有する、請求項７に記載のシステム。
【請求項１０】
前記フレームは、固定機構を有し、前記フレームは、前記固定機構により前記電子装置に選択的に結合される、請求項７に記載のシステム。
【請求項１１】
前記フレームは、前記電子装置の大部分を大体取り囲む、請求項７に記載のシステム。
【請求項１２】
前記多数の反射面は、
前記フレームに据え付けられる第１反射面であって、前記第１反射面は、前記機器が前記電子装置上に位置付けられるとき、前記背面カメラに対して第１角に配置されるよう構造化される、第１反射面と、
前記第１角に対して垂直に第２角で、前記フレームに据え付けられる第２反射面と、
を含む、請求項７に記載のシステム。
【請求項１３】
前記第１反射面は、前記フレームに据え付けられた第１ミラーの一部であり、前記第２反射面は、前記フレームに据え付けられた第２ミラーの一部である、請求項１２に記載のシステム。
【請求項１４】
電子装置のユーザの顔メトリックを決定する方法であって、前記電子装置は、前記ユーザに面している前面カメラと、前記ユーザの反対側を向く背面カメラと、を有し、前記方法は、
前記前面カメラ及び前記背面カメラの両方が同時に又はほぼ同時に画像をキャプチャできるようにするステップと、
前記前面カメラ又は前記背面カメラのうちの一方を用いて前記ユーザの第１画像をキャプチャするステップと、
前記ユーザに対して前記電子装置を動かすことなく、前記前面カメラ又は前記背面カメラのうちの他方を用いて前記ユーザの第２画像をキャプチャするステップと、
前記第１画像及び前記第２画像を分析することにより、前記ユーザの顔メトリックを決定するステップと、
を含む方法。
【発明の詳細な説明】
【技術分野】
【０００１】
［関連出願］
本願は、参照により内容がここに組み込まれる米国仮出願番号第６２／５９８，６４８号、２０１７年１２月１４日出願の３５Ｕ．Ｓ．Ｃ．§１１９（ｅ）に基づく優先権の利益を請求する。
【０００２】
［技術分野］
本発明は、患者の気道への治療が図の流れを受ける際に使用するための、患者のカスタムマスクを識別する方法に関する。本発明は、このような方法を実行するシステムにも関する。
【背景技術】
【０００３】
多くの個人は、睡眠呼吸障害に苦しんでいる。睡眠時無呼吸は、世界中で何百万人もが苦しんでいるこのような睡眠呼吸障害の一般的な例である。睡眠時無呼吸の１つの種類は、閉塞性睡眠時無呼吸（obstructive  sleep  apnea、OSA）であり、これは、気道、標準的には上気道又は咽頭領域の障害に起因する呼吸不能により、睡眠が繰り返し中断される状況である。気道の障害は、通常、少なくとも部分的に、組織に気道を潰させる、上気道区間を安定化させる筋肉の全体的弛緩に起因すると信じられている。睡眠時無呼吸症の別の種類は、中枢性無呼吸であり、これは、脳の呼吸中枢からの呼吸信号の不在に起因する呼吸の停止である。無呼吸条件は、障害、中枢、又は障害と中枢との結合である混合かに関わらず、呼吸の完全な停止又はほぼ停止、例えばピーク呼吸気流の９０％以上の減少として定義される。
【０００４】
睡眠時無呼吸に苦しんでいる人々は、睡眠断片化、及び喚起の完全な停止又はほぼ停止を睡眠中に経験しており、深刻な程度の酸化ヘモグロビン活性化を伴う可能性がある。これらの症状は、臨床的に極度の日中の眠気、不整脈、肺動脈高血圧、うっ血性心不全、及び／又は認知障害に変換されることがある。睡眠時無呼吸の他の症状は、右室機能不全、覚醒中及び睡眠中の炭酸ガス蓄積、及び動脈血酸素分圧の連続的低下を含む。睡眠時無呼吸に苦しんでいる人々は、これらの要因から、及び運転中及び／又は潜在的に危険な設備の操作中の事故の危険性が上昇するために、過大な死亡の危険性がある。
【０００５】
患者が完全な又はほぼ完全な気道の障害に苦しんでいないばあいでも、気道の部分的な障害があるだけで、睡眠からの覚醒のような悪影響が生じ得ることも知られている。気道の部分的な障害は、標準的に、呼吸低下と呼ばれる浅い呼吸を生じる。呼吸低下は、標準的に、ピーク呼吸気流の５０％以上の減少として定義される。他の種類の睡眠障害呼吸は、限定ではなく、上気道抵抗症候群（upper  airway  resistance  syndrome：UARS）及び咽頭側壁の振動のような気道の振動を含み、一般にいびきと呼ばれる。
【０００６】
患者の気道に持続的陽圧気（continuous  positive  air  pressure：CPAP）を適用することにより、睡眠障害呼吸を治療することがよく知られている。この陽圧は、気道を効果的に「当て木（splint）」し、それによりハイへの開かれた通路を維持する。患者の快適さを向上するために、患者に供給されるガスの圧力が患者の呼吸サイクルと共に変化する、又は患者の呼吸努力と共に変化する陽圧治療を提供することも知られている。この圧力サポート技術は、患者に供給される吸気性陽圧気道（inspiratory  positive  airway  pressure：IPAP）が呼気性陽圧気道（expiratory  positive  airway  pressure：EPAP）より高い２相圧力サポートと呼ばれる。患者が無呼吸及び／又は呼吸低下を経験しているか否かのような患者の検出された状態に基づき、圧力が自動的に調整される陽圧治療を提供することが更に知られている。この圧力サポート技術は、圧力サポート装置が患者に提供すべき、呼吸障害を治療するために必要なだけの高さの圧力を探すので、自動滴定型圧力サポートと呼ばれる。
【０００７】
簡単に記載されたような圧力サポート治療は、柔らかい柔軟な密閉クッションを有するマスクコンポーネントを含む患者インタフェース装置の患者の顔への配置を含む。マスクコンポーネントは、限定ではなく、患者の鼻を覆う鼻マスク、患者の鼻及び口を覆う鼻／口マスク、又は患者の顔を覆う顔マスクであってよい。このような患者インタフェース装置は、額サポート、頬パッド、及び顎パッドのような、他の患者接触コンポーネントも利用してよい。患者インタフェース装置は、標準的に、かぶりものコンポーネントにより患者の頭部に固定される。患者インタフェース装置は、ガス供給管又は導管に接続され、圧力サポート装置を患者の気道に繋げる。その結果、呼吸ガスの流れは、圧力／フロー生成装置から患者の気道に供給できる。
【０００８】
患者に治療ガスの流れを供給する際に使用するための、患者のための「カスタム」マスクをお生成する現在の従来技術システムは、高価な３次元（３Ｄ）画像キャプチャ装置を使用して取得される３Ｄスキャンを使用する。このような装置のコストの結果として、このような装置の利用が通常限られている。
【発明の概要】
【０００９】
本発明の一態様として、電子装置のユーザの顔メトリックをキャプチャする際に電子装置と共に使用するための機器が提供される。電子装置は、ユーザに面している前面カメラと、ユーザの反対側を向いている背面カメラとを有する。機器は、電子装置に結合されるよう構造化されたフレームと、フレームに据え付けられた多数の反射面であって、多数の反射面は、前面カメラがユーザの第１画像をキャプチャし、背面カメラがユーザの第２画像を第１画像と同時にキャプチャするように位置付けられ構造化される、多数の反射面と、を有する。
【００１０】
多数の反射面は、フレームに据え付けられた多数のミラーを有してよい。
【００１１】
フレームは、電子装置にフレームを選択的に結合するよう構造化された固定機構を有してよい。
【００１２】
フレームは、電子装置の大部分を大体取り囲むよう構造化されてよい。
【００１３】
多数の反射面は、フレームに据え付けられる第１反射面であって、第１反射面は、機器が電子装置上に位置付けられるとき、背面カメラに対して第１角に配置されるよう構造化される、第１反射面と、第１角に対して垂直に第２角で、フレームに据え付けられる第２反射面と、を有してよい。
【００１４】
第１反射面は、フレームに据え付けられた第１ミラーの一部であってよく、第２反射面は、フレームに据え付けられた第２ミラーの一部であってよい。
【００１５】
本発明の別の態様として、ユーザの顔メトリックをキャプチャするシステムが提供される。システムは、ユーザに面している前面カメラと、ユーザの反対側を向いている背面カメラと、機器と、を有する。機器は、電子装置に結合されるフレームと、フレームに据え付けられた多数の反射面であって、多数の反射面は、前面カメラがユーザの第１画像をキャプチャし、背面カメラがユーザの第２画像を第１画像と同時にキャプチャするように位置付けられ構造化される、多数の反射面と、を有する。
【００１６】
電子装置は、スマートフォン又はタブレットを有してよい。
【００１７】
多数の反射面は、フレームに据え付けられた多数のミラーを有する。
【００１８】
フレームは、固定機構を有してよく、フレームは、固定機構により電子装置に選択的に結合されてよい。
【００１９】
フレームは、電子装置の大部分を大体取り囲んでよい。
【００２０】
多数の反射面は、フレームに据え付けられる第１反射面であって、第１反射面は、機器が電子装置上に位置付けられるとき、背面カメラに対して第１角に配置されるよう構造化される、第１反射面と、第１角に対して垂直に第２角で、フレームに据え付けられる第２反射面と、を有してよい。
【００２１】
第１反射面は、フレームに据え付けられた第１ミラーの一部であってよく、第２反射面は、フレームに据え付けられた第２ミラーの一部である。
【００２２】
本発明の更に別の態様として、ユーザに面した前面カメラとユーザの反対側を向いている背面カメラとを有する電子装置のユーザの顔メトリックを決定する方法が提供される。方法は、前面カメラ及び背面カメラの両方が同時に又はほぼ同時に画像をキャプチャできるようにするステップと、前面カメラ又は背面カメラのうちの一方を用いてユーザの第１画像をキャプチャするステップと、ユーザに対して電子装置を動かすことなく、前面カメラ又は背面カメラのうちの他方を用いてユーザの第２画像をキャプチャするステップと、第１画像及び第２画像を分析することにより、ユーザの顔メトリックを決定するステップと、を含む。
【００２３】
本発明の上述の及び他の目的、特徴、及び特性、並びに、関連する構造要素及び府分の結合の動作方法及び機能、及び製造の経済性は、添付の図面を参照して以下の説明及び添付の請求の範囲を考慮すると一層明らかになるだろう。添付の図面の全ては、本明細書の部分を形成し、種々の図面の同様の参照符号は対応する部分を示す。しかしながら、明確に理解されるべきことに、図面は、図示及び説明のみを目的としており、本発明の限定の定義として考えられるべきではない。
【図面の簡単な説明】
【００２４】
【図１Ａ】本発明の例示的な実施形態によるスマートフォンの形式の電子装置の前面図である。
【図１Ｂ】本発明の例示的な実施形態によるスマートフォンの形式の電子装置の背面図である。
【図２Ａ】図１Ａ及び１Ｂの電子装置を含むユーザの顔メトリックを決定する際に使用するためのシステムの前面図であり、電子装置に結合された本発明の例示的な実施形態による電子装置のユーザの顔メトリックを決定する際に使用するための機器と共に示される。
【図２Ｂ】図１Ａ及び１Ｂの電子装置を含むユーザの顔メトリックを決定する際に使用するためのシステムの背面図であり、電子装置に結合された本発明の例示的な実施形態による電子装置のユーザの顔メトリックを決定する際に使用するための機器と共に示される。
【図３】図２Ａ及び２Ｂの線３−３に沿った図２Ａ及び２Ｂの機器の断面図である。
【図４Ａ】図１Ａ及び１Ｂの電子装置を含むユーザの顔メトリックを決定する際に使用するための別のシステムの前面図であり、電子装置の周囲に配置され大部分を覆う本発明の別の例示的な実施形態による電子装置のユーザの顔メトリックを決定する際に使用するための機器と共に示される。
【図４Ｂ】図１Ａ及び１Ｂの電子装置を含むユーザの顔メトリックを決定する際に使用するための別のシステムの背面図であり、電子装置の周囲に配置され大部分を覆う本発明の別の例示的な実施形態による電子装置のユーザの顔メトリックを決定する際に使用するための機器と共に示される。
【発明を実施するための形態】
【００２５】
必要に応じて、本発明の詳細な実施形態がここに開示される。しかしながら、開示の実施形態は、種々の形式で具現化されてよい本発明の単なる例であることが理解されるべきである。したがって、ここに開示の特定の構造及び機能的詳細は、限定として解釈されるものではなく、単に請求の範囲の基礎として、及び実質的にいかなる適切な詳細構造において当業者に本発明を様々に利用することを教示するための代表的な基礎として解釈される。
【００２６】
ここで使用されるとき、単数形の「１つ」、「該」、及び「前記」は、文脈上特に断りの無い限り、複数の参照を含む。ここで使用されるとき、２以上の部分又はコンポーネントが「結合される」という文は、リンクが生じる限り、直接に又は間接に、つまり１つ以上の中間部分又はコンポーネントを通じて、部分が結合され又は一緒に動作することを意味するべきである。ここで使用されるとき、「直接結合される」は、２つの要素が互いに直接接触することを意味する。ここで使用されるとき、「固定的に結合される（fixedly  coupled）」又は「固定される（fixedly）」は、互いに対する一定方向を維持しながら、２つのコンポーネントが１つとして動くように結合されることを意味する。
【００２７】
ここで使用されるとき、用語「一体（unitary）」は、コンポーネントが単一のピース又はユニットとして生成されることを意味する。つまり、別個に生成され次にユニットとして一緒に結合されたピースを含むコンポーネントは、「一体」コンポーネント又は本体ではない。ここで使用されるとき、２つ以上の部分又はコンポーネントが互いに「契合する（engage）」という文は、直接に又は１つ以上の中間部分又はコンポーネントを通じて、部分が互いに対して力を及ぼすことを意味するべきである。ここで使用されるとき、用語「数」は、１又は１より大きい（つまり複数の）整数を意味する。
【００２８】
例えば及び限定ではなく、上、下、左、右、上側、下側、前、後ろ、及びそれらの派生語のような、ここで使用される指向性フレーズは、図中に示された要素の向きに関し、特に断りのない限り、特許請求の範囲を限定しない。
【００２９】
ここで使用されるとき、用語「画像」は、人物の形式の表現を表すべきえあり、形式を説明する電子情報の形式であってよい。
【００３０】
本発明の実施形態は、例えば限定ではなく、大部分のセルラスマートフォン及び電子タブレットのような、前面及び背面カメラの両方を有する直ちに利用可能な電子装置上のカメラを利用して、通常同時にキャプチャされる人物／患者の複数の画像をキャプチャする。このような画像は、次に、知られている技術を用いて、患者の顔メトリックを決定するために利用され、次に、圧力サポート治療を受けている患者により使用されるカスタムマスクを決定し及びさらには識別する際に利用される。
【００３１】
図１Ａ及び１Ｂは、本発明による例示的な実施形態と共に又はその要素として利用されてよいによるスマートフォンの形式の例示的な電子装置１０の前面図及び背面図をそれぞれ示す。電子装置１０は、中に配置された適切な処理装置１４（図１Ｂに隠し線で概略的に示される）を含む種々の電子コンポーネントを有する筐体１２を有する。電子装置１０は、処理装置１４にデータを提供する又は処理装置１４から出力を受信するタッチスクリーン１８の形式で、筐体１２の前面１６上に位置付けられた入力出力装置を更に含む。更なる入力装置、例えば側面ボタン１８Ａ及び１８Ｂも、処理装置の所定の機能を実行するために処理装置に指示を提供するために、処理装置１４との電気通信において提供されてよい。電子装置１０は、第１方向Ｄ１で筐体１２の反対側を向いている前面１６上に位置付けられた前面カメラ２０の形式の第１画像キャプチャ装置と、第１方向Ｄ１と反対向きの第２方向Ｄ２で、筐体１２の反対側を向いている、前面１６と反対向きの、筐体１２の背面２４上に位置付けられた背面カメラ２２の形式の第２画像キャプチャ装置と、を更に有する。前面及び背面カメラ２０及び２２は、電気的に処理装置１４に結合される。その結果、カメラ２０及び２２の両方が処理装置１４により制御され、キャプチャした画像を処理装置１４に通信する。後述するように、処理装置１４は、カメラ２０及び２２の一方又は両方を選択的に同時に又は概して同時に（つまり、画像間で対象による動きのない後続画像対象をキャプチャするために順序において十分に近く）作動させるよう構造化される。
【００３２】
処理装置１４は、例えばマイクロプロセッサ、マイクロコントローラ、又は何らかの他の適切な処理装置であってよい処理部分と、処理部分の内部又は処理部分に動作可能に結合されてよく、電子装置１０の動作を制御するために処理部分により実行可能なデータ及びソフトウェアのための記憶媒体を提供するメモリ部分と、を有する。メモリ部分は、限定ではなく、コンピュータの内部記憶領域の形式のようなデータ記憶のための、ＲＡＭ、ＲＯＭ、ＥＰＲＯＭ、ＥＥＰＲＯＭ、ＦＬＡＳＨ、等のような、記憶レジスタ、つまり機械可読媒体を提供し、及び揮発性又は不揮発性メモリであり得る、種々の種類の内部及び／又は外部記憶媒体のうちのいかなる１つ以上であり得る。
【００３３】
図２Ａ及び２Ｂは、図１Ａ及び１Ｂの電子装置１０のそれぞれ前面及び背面同寸図であり、本発明の例示的な位置実施形態により電子装置１０のユーザの顔メトリックをキャプチャする際に使用するためのシステム１００を形成する機器３０と共に示される。機器３０は、電子装置１０といかなる適切な結合手段（例えば、限定ではなく、摩擦性適合、接着、ばね仕掛けの締め付け具、又はいかなる他の適切な固定機構）により結合されるよう構造化されたフレーム３２を有する。図３の断面図に示すように、機器３０は、フレーム３２に据え付けられた多数の（例示的な実施形態では２個が利用されている）反射面３４Ａ、３４Ｂを有する。多数の反射面は、矢印Ｄ２’により示されるように、つまり前面カメラ２０と同じ方向、つまり第１方向Ｄ１で、背面カメラ２２が効果的に狙えるように位置付けられ構造化される。したがって、機器３０は、前面カメラ２０が、機器３０を備えた電子装置１０のユーザの第１画像をキャプチャするよう提供すると同時に、電話機を一切動かすことなく、背面カメラ２２が、第１画像と同時に又はほぼ同時にユーザの第２画像をキャプチャすることも可能にする。２つの反射面３４Ａ及び３４Ｂが図示された例示的な実施形態において利用されたが、理解されるべきことに、本発明の範囲から逸脱することなく、いかなる数の面が利用され得る。
【００３４】
図３に示した例示的な実施形態では、反射面３４Ａ及び３４Ｂは、フレーム３２に据え付けられたミラーの部分であった。このような例では、反射面３４Ａは、フレーム３２に据え付けられた。その結果、反射面３４Ａは、機器３０が電子装置１０上に位置付けあれるとき、背面カメラ２２に対して第１角度φで配置される。このような例示的な実施形態では、第２反射面３４Ｂは、第１角に対して垂直な（ラベル付けされない）第２角でフレーム３２に据え付けられる。
【００３５】
図４Ａ及び４Ｂは、図１Ａ及び１Ｂの電子装置１０のそれぞれ前面及び背面同寸図であり、本発明の例示的な位置実施形態により電子装置１０のユーザの顔メトリックをキャプチャする際に使用するためのシステム１００を形成する機器１３０と共に示される。機器１３０は、それぞれ図２Ａ、２Ｂ、及び３と関連して前述した機器３０と同様のレイアウトを有するが、機器１３０が結合部１５０により電子装置１０に固定されることが異なる。結合部１５０は、一般的に電子装置１０の大部分を覆うスマートフォン保護ケースと同様に形成される。
【００３６】
このように機器３０及び１３０、及び該機器及び関連する電子装置１０を有するシステム１００及び１００’の例示的な実施形態を記載したので、このようなシステムによるユーザの顔メトリックを決定する際のこのようなシステムの使用は簡単に説明される。最初のステップとして、電子装置１０のユーザは、前面カメラ２０及び背面カメラ２２の両方が、同時に又はほぼ同時に画像をキャプチャできるようにするプログラムを選択する。次に、ユーザの第１画像が、前面カメラ２０又は背面カメラ２２のうちの一方を用いてキャプチャされる。続けて又は同時に、電子装置をユーザに対して動かすことなく、ユーザの第２画像が、前面カメラ２０又は背面カメラ２２のうちの他方を用いてキャプチャされる。最終的に、ユーザの顔メトリックは、第１画像及び第２画像を分析することにより決定される。このような分析の間に、第１及び第２画像は、３Ｄ形状を構築するために、一緒につなぎ合わされ（stitched）、三角分割される（triangulated）。この３Ｄ形状から、ユーザのカスタムＣＰＡＰマスクが生成され、又はユーザに対して識別される。代替として、２Ｄ画像が、エピポーラ平面内のディスパリティマップ、容積深層ニューラルネットワーク（volumetric  deep  neural  networks：DNN）又は生成的敵対ネットワーク相関の使用を通じるような、当業者に知られているいなかる数の他の技術を用いて、３Ｄ空間モデルを生成するために使用されてよい。
【００３７】
以上から、本発明の実施形態は、高価な３Ｄ撮像装置の必要なしに、スマートフォン、タブレット、又は同様の装置のような直ちに利用可能な電子装置の使用を通じて取得されるユーザの顔メトリックを提供することが理解されるべきである。
【００３８】
本発明は最適な実施及び好適な実施形態であると現在考えられるものに基づき説明の目的で詳細に記載されたが、理解されるべきことに、このような詳細は単に上記の目的のためであり、本発明は開示の実施形態に限定されず、むしろ、添付の請求の範囲の精神及び範囲に含まれる変更及び均等なアレンジを包含することを意図する。例えば、理解されるべきことに、本発明は、可能な程度に、いかなる実施形態の１つ以上の特徴がいかなる他の実施形態の１つ以上の特徴と結合できることを想定する。ここに記載した構造の全体的及び／又は断面的形状は、単に例示的な目的のために提供され、このような形状は、本発明の範囲からの変更を伴わず、変更されてよい。
【００３９】
請求項中、括弧内に配置されたいかなる参照符号も、請求項を限定するものと考えられるべきではない。用語「有する」又は「含む」は、請求項に列挙された以外の要素又はステップの存在を排除しない。幾つかの手段を列挙する装置の請求項では、これらの手段のうちの幾つかは、１つの同じハードウェアアイテムにより実装されてよい。要素の前の用語「１つの」は、該要素の複数の存在を排除しない。幾つかの手段を列挙するいかなる装置の請求項では、これらの手段のうちの幾つかは、１つの同じハードウェアアイテムにより実装されてよい。特定の要素が相互に異なる従属請求項に記載されているという単なる事実は、これらの要素が結合して使用できないことを示すものではない。
【図１Ａ】
2021507278.tif 000003
【図１Ｂ】
2021507278.tif 000004
【図２Ａ】
2021507278.tif 000005
【図２Ｂ】
2021507278.tif 000006
【図３】
2021507278.tif 000007
【図４Ａ】
2021507278.tif 000008
【図４Ｂ】
2021507278.tif 000009
【国際調査報告】
2021507278.tif 000010
2021507278.tif 000011